(57)【要約】【課題】複数のシャワーを同時に開閉しても、設定した混合温水温度の変化が小さい混合温水をシャワーおよび吐水口から得るようにする。【解決手段】本発明の自動温度調整ミキシング装置は、低温水・高温水を導入し、その各低温水・高温水の流通路を同時に開栓または閉栓するために２つの弁機構部を連設形成した流量調整機構手段と、前記流量調整機構手段から供給された低温水・高温水の各給水圧力または給湯圧力のうちいすれか高い方の流量を減少させることによって低温水・高温水の混合比を自動的に変える圧力調整機構部と、前記圧力調整機構部からの低温水・高温水の混合比を所定の値に設定し、低温水・高温水が混合された混合温水の設定温度を自動的に保持する温度調整機構部とを備える。【選択図】　　　　　図１
2004108530.tif 000002
【特許請求の範囲】
【請求項１】
低温水・高温水を導入し、その各低温水・高温水の流通路を同時に開栓または閉栓するために２つの弁機構部を連設形成した流量調整機構手段と、
前記流量調整機構手段から供給された低温水・高温水の各給水圧力または給湯圧力のうちいずれか高い方の流量を減少させることによって低温水・高温水の混合比を自動的に変える圧力調整機構部と、
前記圧力調整機構部からの低温水・高温水の混合比を所定の値に設定し、低温水・高温水が混合された混合温水の設定温度を自動的に保持する温度調整機構部とを備えたことを特徴とする自動温度調整ミキシング装置。
【請求項２】
前記弁機構部は、低温水を導入する低温水導入孔と高温水を導入する高温水導入孔と、前記低温水導入孔及び高温水導入孔にそれぞれ隣接する部分に設けられシリンダ内壁からシリンダ中心部に突出した低温水導入孔リング部および高温水導入孔リング部とを有するシリンダ部と、前記シリンダ部内に設けられた可動部に形成された低温水テーパ部と高温水テーパ部とを備え、
前記可動部を稼働させることによって、前記低温水導入孔リング部と低温水テーパ部間の間隙、および高温水導入孔リング部と高温水テーパ部間の間隙を調整することによって、低温水・高温水の供給量の調整を同時に行うことを特徴とする請求項１記載の自動温度調整ミキシング装置。
【発明の詳細な説明】
【０００１】
【発明の属する技術分野】
本発明は、スポーツ施設のように多くの蛇口が付設されたシャワー、老人ホームや介護センター等に設置されたシャワー等の自動温度調整ミキシング装置に関する。
【０００２】
【従来の技術】
図４は、従来例における自動温度調整ミキシング装置の概略を示す一部切断断面図である。図４において、従来、この種の自動温度調整ミキシング装置１００は、低温水・高温水の圧力が高い方の流量を少なくすることで低温水・高温水の混合比を自動的に変える圧力調整機構部２と、圧力調整機構部２からの低温水・高温水の流量を所定比で混合させて得られる湯水（以下、混合温水という）の温度を所定の温度に設定する温度設定部と、その混合温水の温度を所定の設定温度に自動的に保持する自動温度保持手段６を備えた温度調整機構部３とから構成される。
【０００３】
この圧力調整機構部２は、通常の作動状態では、低温水・高温水の相互の圧力差によって、孔部２２Ａと孔部２２Ｄの開閉比が異なるように制御される。例えば、低温水の圧力が高温水の圧力よりも高いときには、低温水側の孔部２２Ａの開度が小さく、高温水側の孔部２２Ｄの開度が大きくなり、低温水の圧力と高温水の圧力が同じ程度の時には、低温水側の孔部２２Ａの開度と、高温水側の孔部２２Ｄの開度が同じ程度になり、低温水の圧力が高温水の圧力よりも低いときには、低温水側の孔部２２Ａの開度が大きく、高温水側の孔部２２Ｄの開度が小さくなる。
【０００４】
一方、温度調整機構部３は、温度設定部を調整することによって圧力調整機構部２からの低温水・高温水の流量を所定比で混合させると共に、自動温度保持手段６で混合温水を所定の設定温度に維持する。
また、温度調整機構部３の出口には、温度調整機構部３からの混合温水の流量を手動で調整するための開閉弁機構部４０を備えている。この開閉弁機構部４０は、例えば、図５に示すような隣接する複数のシャワー室にそれぞれ配置された自動温度調整ミキシング装置１００に取り付けられる。
【０００５】
本願発明に関連する先行技術文献としては、特許文献１、２、３が挙げられる。
【０００６】
【特許文献１】特開２００１−６５０１２号公報
【特許文献２】特開２００２−８９９５４号公報
【特許文献３】特開２００２−２３５９５４号公報
【０００７】
【発明が解決しようとする課題】
しかしながら、このような従来の自動温度調整ミキシング装置では、温度調整機構部３からの混合温水の流量を調整する開閉弁機構部４０自体が単に流量を変えるだけであるため、複数のシャワー室で多くの人がシャワーを同時に使用すると、温度調整機構部３により混合温水温度（混合温水圧力）としてせっかく設定されていた混合温水の温度が閉栓または開栓に応じて大きく変化してしまうという問題点を有していた。
【０００８】
具体的には、図６に示すように、開閉弁機構部４０が閉栓状態から開栓状態となった際に、（ａ）の混合温水圧力は０ｋｇ／ｃｍ２から０．５ｋｇ／ｃｍ２に上昇するに伴い、（ｂ）の給水圧力および（ｃ）の給湯圧力は共に２．１ｋｇ／ｃｍ２から２．０ｋｇ／ｃｍ２に低下する。また、（ｄ）の給水温度は１７．７°Ｃおよび（ｅ）の給湯温度は６２．３°Ｃで共に変化しないが、（ｆ）の混合温水温度（設定温度）は、４２．２°Ｃから４０．２°Ｃへと約２°Ｃ以上も下がってしまう。このような２°Ｃ以上の設定温度変化は、身体の皮膚に感じる温度変化としてはかなり大きなものである。
【０００９】
そこで本発明は上述の課題を解決するためになされたもので、同時に多くの人が複数のシャワーを使用しても、温度調整機構部によって設定された混合温水温度の変化が小さい混合温水を供給するようにした自動温度調整ミキシング装置を提供することを目的とする。
【００１０】
【課題を解決するための手段】
上述した目的を達成するための第１の発明は、低温水・高温水を導入し、その各低温水・高温水の流通路を同時に開栓または閉栓するために２つの弁機構部を連設形成した流量調整機構手段と、前記流量調整機構手段から供給された低温水・高温水の各給水圧力または給湯圧力のうちいずれか高い方の流量を減少させることによって低温水・高温水の混合比を自動的に変える圧力調整機構部と、前記圧力調整機構部からの低温水・高温水の混合比を所定の値に設定し、低温水・高温水が混合された混合温水の設定温度を自動的に保持する温度調整機構部とを備えることを特徴とする。
【００１１】
上記第１の発明によれば、流量調整機構手段を設け、各低温水・高温水の流通路を同時に開栓または閉栓して、使用する低温水・高温水の流量を入り口段階で制御するために、圧力調整機構部に供給される低温水および高温水の流量を適正に調整する。このために、他人のシャワーの使用に係わらず、温度調整機構部から供給される混合温水の温度変化を小さくすることができる。
【００１２】
上記第２の発明によれば、前記弁機構部は、低温水を導入する低温水導入孔と高温水を導入する高温水導入孔と、前記低温水導入孔及び高温水導入孔にそれぞれ隣接する部分に設けられシリンダ内壁からシリンダ中心部に突出した低温水導入孔リング部および高温水導入孔リング部とを有するシリンダ部と、前記シリンダ部内に設けられた可動部に形成された低温水テーパ部と高温水テーパ部とを備え、前記可動部を稼働させることによって、前記低温水導入孔リング部と低温水テーパ部間の間隙、および高温水導入孔リング部と高温水テーパ部間の間隙を調整することによって、低温水・高温水の供給量の調整を同時に行うことを特徴とする。
【００１３】
上記第２の発明によれば、温度調整ハンドルを回転することによって、テーパ部とリング部間の間隙を変えることによって、低温水・高温水の供給量の調整を同時に行うことができる。このために、他人のシャワーの使用に係わらず、温度調整機構部から供給される混合温水の温度変化を小さくすることができる。
【００１４】
【発明の実施の形態】以下図面を参照して本発明の一実施の形態を説明する。図１は本発明の一実施の形態における自動温度調整ミキシング装置の概略を示す一部切断断面図である。図３はシャワー栓を閉栓状態から開栓状態にしてその後閉栓したときの混合温水温度（混合温水圧力）、給水温度（給水圧力）、給湯温度（給湯圧力）のそれぞれの変化を示した図である。
【００１５】
以下、例えば、スポーツ施設において多くの蛇口が設置されたシャワー等に使用される本発明の自動温度調整ミキシング装置について説明する。
【００１６】
この自動温度調整ミキシング装置１００は、図１に示すように、流量調整機構部１、圧力調整機構部２、温度調整機構部３から構成されている。流量調整機構部１と圧力調整機構部２は低温水用通路Ｌ３と高温水用通路Ｌ４によって連通され、圧力調整機構部２と温度調整機構部３は、低温水用通路Ｌ５と高温水用通路Ｌ６によって連通される。また、流量調整機構部１では、低温水供給管Ｌ１から低温水が供給され、高温水供給管Ｌ２から高温水が供給される。温度調整機構部３の下側にはシャワーおよび吐水口に連結されるパイプ（図示せず）に接続するための混合温水用出口部５が設けられている。なお、上記した各流量調整機構部１、圧力調整機構部２、温度調整機構部３の配置の向きは縦向きであっても横向きであっても構わない。
【００１７】
自動温度調整ミキシング装置１００に収容されている流量調整機構部１は、低温水供給管Ｌ１および高温水供給管Ｌ２から供給される低温水・高温水の供給量を同時に調整し、供給量が調整された当該低温水および高温水を低温水用通路Ｌ３および高温水用通路Ｌ４を介して圧力調整機構部２へ供給する。
【００１８】
流量調整機構部１は、低温水を導入する低温水導入孔１２Ａと高温水を導入する高温水導入孔１２Ｂと、前記低温水導入孔及び高温水導入孔にそれぞれ隣接する部分に設けられシリンダ内壁からシリンダ中心部に突出した低温水導入孔リング部１４Ａおよび高温水導入孔リング部１４Ｂとを有するシリンダ部１０と、前記低温水導入孔１２Ａと高温水導入孔１２Ｂの流入間隙を調整するテーパ部１３Ａ、１３Ｂを有する可動部１１とから構成される。
可動部１１は、雄ネジ部１５をシリンダ１０の上側の雌ネジ部１６にねじ込んだ状態で、雄ネジ部１５の頭部がシリンダ１０の外部に突出している。雄ネジ部１５の頭部には温度調整ハンドル（図示せず）が取り付けられ、この温度調整ハンドルを回転させることによって２つのテーパ部１３Ａ，１３Ｂが作動し、低温水および高温水の流量が制御される。
【００１９】
テーパ部１３Ａとリング部１４Ａは低温水弁機構部を構成し、テーパ部１３Ｂとリング部１４Ｂは高温水弁機構部を構成する。可動部１１に形成された２つの拡径部には先端側に行くに従って次第に縮径した略倒立円錐形状のテーパ部１３Ａ，１３Ｂが形成され、一方、シリンダ１０の低温水導入孔１２Ａと高温水導入孔１２Ｂに隣接して環状フランジ形のリング部１４Ａ，１４Ｂが形成されている。また、上段の低温水導入孔１２Ａ側には低温水供給管Ｌ１が接続され、下段の高温水導入孔１２Ｂ側には高温水供給管Ｌ２が接続されている。
【００２０】
そして、温度調整ハンドルの回転によってシリンダ１０内で可動部１１を上下方向に移動させてテーパ部１３Ａ，１３Ｂをそれぞれリング部１４Ａ，１４Ｂに近接または離反させることで、テーパ部１３Ａとリング部１４Ａおよびテーパ部１３Ｂとリング１４Ｂ間の間隙が調節される。これによって低温水用通路Ｌ３および高温水用通路Ｌ４からの低温水および高温水の流量を加減でき、低温水用通路Ｌ３および高温水用通路Ｌ４を介しての圧力調整機構部２側への低温水および高温水の供給量を同時に調整できる。
【００２１】
圧力調整機構部２は、流量調整機構部１から低温水用通路Ｌ３を介して供給される低温水の給水圧力または高温水用通路Ｌ４を介して供給される高温水の給湯圧力のいずれか高い方の流量を少なくすることによって低温水・高温水の混合比を自動的に変える機能を有する。
【００２２】
圧力調整機構部２は、シリンダ部２０と可動部２１とからなる。可動部２１は、丸棒状の縮径部の上端部２３Ａ、下端部２３Ｃおよび中央部２３Ｂにそれぞれ円柱状の拡径部を有し、上端部２３Ａと中央部２３Ｂ間に狭径部２４Ａおよび中央部２３Ｂと下端部２３Ｃ間に狭径部２４Ｂを有する（図２参照）。可動部２１は上段の縮径部周側面から上端面側に連通する断面が略Ｔ字形の通路ｔ１、下段の縮径部周側面から下端面側に連通する断面が略Ｔ字型の通路ｔ２をそれぞれ有する。可動部２１はシリンダ２０内部で上下移動できるようフリーな状態で当該シリンダ２０の内部に設けられている。
【００２３】
シリンダ部２０は、低温水を導入する孔部２２Ａ、高温水を導入する孔部２２Ｄ、低温水を排出する孔部２２Ｂ、高温水を排出する孔部２２Ｃからなる。そして、孔部２２Ａは、低温水用通路Ｌ３接続され、孔部２２Ｂは、低温水用通路Ｌ５接続され、孔部孔部２２Ｃは、高温水用通路Ｌ４に接続され、孔部２２Ｄは、高温水用通路Ｌ６接続される。
【００２４】
図２は自動温度調整ミキシング装置の圧力調整機構部の動作を説明するための断面図であり、（Ａ）は通常の作動状態、（Ｂ）は高温水の圧力が低温水の圧力よりも異常に大きいとき、（Ｃ）は低温水の圧力が高温水の圧力よりも異常に大きいときを示す。
通常の作動状態では、図２（Ａ）に示すように、圧力調整機構部２には、低温水・高温水の圧力差によって、最上段の孔部２２Ａから流入する低温水の流量と、最下段の孔部２２Ｄから流入する高温水の流量とが所定の比で供給される。
一方、高温水の圧力が低温水の圧力よりも異常に大きいときには、図２（Ｂ）に示すように、可動部２１がシリンダ２０内部で上側に移動し、最上段の孔部２２Ａと上側の通路ｔ１とは連通した状態となる。このとき低温水用通路Ｌ３を経て最上段の孔部２２Ａからシリンダ２０内に低温水が流入すると、低温水は可動部２１の上側の通路ｔ１を通ってシリンダ２０上側内壁面を加圧し、この圧力によって可動部２１を下方へ押し下げ、可動部２１を元の位置に戻そうとする力が働く。このとき、最上段の孔部２２Ａから流入した低温水は、通路ｔ１を介して孔部２２Ｂから低温水用通路Ｌ５に供給される。一方、最下段の孔部２２Ｄに供給される高温水は、可動部２１の拡径部２３Ｃで閉塞され孔部２２Ｃには供給されない。すなわち、高温水の圧力が低温水の圧力よりも異常に大きいときには、低温水のみが低温水用通路Ｌ５に供給され、高温水は高温水用通路Ｌ６に供給されない。
【００２５】
一方、低温水の圧力が高温水の圧力よりも異常に大きいときには、図２（Ｃ）に示すように、可動部２１がシリンダ２０内部で下側に移動し、最下段の孔部２２Ｄと下側の通路ｔ２とは連通した状態となる。このとき高温水用通路Ｌ４を経て最下段の孔部２２Ｄからシリンダ２０内に高温水が流入すると、高温水は可動部２１の下側の通路ｔ２を通ってシリンダ２０下側内壁面を加圧し、この圧力によって可動部２１を上方へ押し上げ、可動部２１を元の位置に戻そうとする力が働く。このとき、最下段の孔部２２Ｄから流入した高温水は、通路ｔ２を介して孔部２２Ｃから高温水用通路Ｌ６に供給される。一方、最上段の孔部２２Ａに流入した低温水は、可動部２１の拡径部２３Ａで閉塞され孔部２２Ｂには供給されない。すなわち、低温水の圧力が高温水の圧力よりも異常に大きいときには、高温水のみが高温水用通路Ｌ６に供給され、低温水は低温水用通路Ｌ５に供給されない。
【００２６】
温度調整機構部３は、圧力調整機構部２から低温水用通路Ｌ５および高温水用通路Ｌ６を経て供給された低温水・高温水を混合させることによって混合温水の温度を所定の温度、すなわちシャワー使用者の希望の混合温水温度に設定する機能を有する。また、温度調整機構部３は、混合温水の温度変化を設定温度に維持するために、例えば、サーモスタット等により混合温水の設定温度を自動的に保持する機能を有する。
【００２７】
温度調整機構部３は、雄ネジ部３２をシリンダ３０上側の雌ネジ部３３にねじ込んだ状態で、雄ネジ部１５の頭部がシリンダ１０の外部に突出している。雄ネジ部１５の頭部には温度調整ハンドル（図示せず）が取り付けられる。この温度調整ハンドルを回転させることによって、Ｖ字形弁機構部３１が上下し、低温水および高温水の混合比が制御され、混合温水の温度が所定の温度になるように設定される。
【００２８】
シリンダ３０内に配置されたＶ字形弁機構部３１は、略Ｖ字形のＶ字部３８がシリンダ３０の内面沿って形成されている。このＶ字部３８の幅は、低温水用通路Ｌ５に連通して形成されたシリンダ３０の上側の孔部３４Ａと、高温水用通路Ｌ６に連通して形成されたシリンダ３０の下側の孔部３４Ｂとの間隔とほぼ一致させてある。また、Ｖ字形弁機構部３１の内径部には、円周方向に複数の貫通孔ｔ３が設けられている。
【００２９】
Ｖ字部３８の中央の縮径部にはＯリング状のパッキン部材３５が取り付けられている。このパッキン部材３５はシリンダ３０内壁面に圧接しており、Ｖ字部３８において、低温水用通路Ｌ５に連通して形成された孔部３４Ａに供給される低温水と、高温水用通路Ｌ６に連通して形成された孔部３４Ｂとに供給される高温水が混合しないように隔絶する働きをする。なお、両孔部３４Ａ，３４Ｂの外側にはこの孔部３４Ａ，３４Ｂにゴミが混入しないようにするため、それぞれメッシュ３６Ａ，３６Ｂが設けられている。
【００３０】
使用時において、温度調整ハンドルを回転させてＶ字形弁機構部３１を下方に移動した場合には、低温水用通路Ｌ５から孔部３４Ａを介して流入する低温水の流量が多くなり、高温水用通路Ｌ６から孔部３４Ｂを介して流入する高温水の流量が少なくなり、混合温水の温度を下げるように設定される。また、温度調整ハンドルを回転させてＶ字形弁機構部３１を上方に移動した場合には、高温水用通路Ｌ５から孔部３４Ａを介して流入する低温水の流量が少なくなり、高温水用通路Ｌ６から孔部３４Ｂを介して流入する高温水の流量が多くなり、混合温水の温度を上げるように設定される。
【００３１】
また、混合温水用出口部５の中央部には、この混合温水用出口部５から放出される混合温水の温度の変化を瞬時に感知してＶ字形弁機構部３１を上下方向に移動させるための自動温度保持手段６が設けられる。この自動温度保持手段６は、例えば、サーモスタットで構成される。すなわち、サーモスタットは、自動温度保持手段６の内部に伸縮部７を有し、この伸縮部７が自動温度保持手段６の下端に接触された状態で配置されている。
混合温水の温度が設定温度よりも高い場合には、伸縮部７が伸びて自動温度保持手段６を下方に押し下げるので、この自動温度保持手段６に取り付けられた可動部３７を下方に移動させるので、この可動部３７に取り付けられたＶ字形弁機構部３１は同様に下方に移動し、高温水用通路Ｌ６から孔部３４Ｂを介して流入する高温水の流量を少なくし、低温水用通路Ｌ５から孔部３４Ａを介して流入する低温水の流量を多くする。これによって、混合温水の温度は自動的に下がり、設定温度に戻っていく。
【００３２】
一方、混合温水の温度が設定温度よりも低い場合には、伸縮部７が縮んで自動温度保持手段６を上方に移動させるので、この可動部３７に取り付けられたＶ字形弁機構部３１は同様に上方に移動し、高温水用通路Ｌ６から孔部３４Ｂを介して流入する高温水の流量を多くし、低温水用通路Ｌ５から孔部３４Ａを介して流入する低温水の流量を少なくする。これによって、混合温水の温度は自動的に上がり、混合温水は設定温度に戻っていく。
【００３３】
次に、以上のように構成された本発明の実施の形態の自動温度調整ミキシング装置１００についての動作の一例について説明する。図１に示すように、自動温度調整ミキシング装置１００に設けられた流量調整機構部１の温度調整ハンドルを回転することによって２つの孔部１２Ａ，１２Ｂから流入する低温水および高温水の流通路を同時に開栓しまたは閉栓できる。これによって、低温水・高温水の供給量を同時に調整して圧力調整機構部２に供給する。
【００３４】
そして圧力調整機構部２によって給水圧力または給湯圧力のいずれか高い方の流量を少なくして、低温水・高温水の混合比を変化させる。そして圧力調整機構部２からの低温水・高温水は温度調整機構部３に送られて低温水・高温水が所定の温度になるように低温水・高温水の流量を調整して混合される。このとき自動温度保持手段６によって温度を自動的に設定温度に保持する。このように、所定の温度に設定された混合温水は混合温水用出口部５からシャワーおよび吐水口に供給される。
【００３５】
上述のように、所定の温度に調整された混合温水をシャワーおよび吐水口から供給する際に、他人のシャワーの開栓または閉栓に応じて、流量調整機構部１の入り口における低温水・高温水の温度が変化しても、混合温水の温度は自動的に調整される。従って、多数の使用者が同時に複数のシャワーを使用しても、どのシャワーにおいても常に所望の設定温度が保持できる。
【００３６】
図３は本発明における実験結果を示す図であり、シャワー栓を閉栓状態から開栓状態にしてその後閉栓したときの混合温水温度（混合温水圧力）、給水温度（給水圧力）、給湯温度（給湯圧力）のそれぞれの変化を示した図である。
図３において、（ａ）は、混合温水圧力、（ｂ）は給水圧力、（ｃ）は給湯圧力、（ｄ）は給水温度、（ｅ）は給湯温度、（ｆ）は混合温水温度である。図３に示すように流量調整機構部１が閉栓状態から開栓状態となった際には、混合温水圧力は０ｋｇ／ｃｍ２から０．５ｋｇ／ｃｍ２に上昇し、給水圧力および給湯圧力は２．１ｋｇ／ｃｍ２から２．０ｋｇ／ｃｍ２に減少する。一方、給水温度（１７．８°Ｃ）、給湯温度（６２．８°Ｃ）は共にほとんど変化していない。混合温水の温度は、４０．１°Ｃから３９．６°Ｃに下がっている。この結果からわかるように、従来の温度変化（２°Ｃ以上の温度降下）に対して、本発明では温度降下を約０．５°Ｃ以下に抑えることができた。
【００３７】
【発明の効果】
本発明は以上のように構成されているために、同時に多くの人が複数のシャワーを使用しても、温度調整機構部３によって設定された混合温水温度の温度変化が小さい混合温水をシャワーおよび吐水口から出すことができる。
【００３８】
すなわち、本発明においては、圧力調整機構部２と、温度調整機構部３の他に前記圧力調整機構部２側へ供給される低温水・高温水の供給量を同時に調整する流量調整機構部１を設けたために、従来の温度変化（２°Ｃ以上の温度降下）に対して温度降下を約０．５°Ｃ以下に抑えることができるようになった。さらに、同時に多くの人が複数のシャワーを使用しても、温度調整機構部３によって設定された混合温水の温度変化が小さくできる。
【００３９】
流量調整機構部１は、温度調整ハンドルの可動部１１に沿って２つの孔部１２Ａ，１２Ｂが連設形成され、単一の温度調整ハンドルを回転させることによって低温水・高温水それぞれの流通路を同時に開栓または閉栓するように構成される。従って、流量調整機構部１は混合温水を必要とするときのみ、高温水・低温水を圧力調整機構部２に供給し、高温水・低温水を最適に取り込むので、流量調整機構部１の閉栓、開栓による混合温水の温度の変化が少ない。
【００４０】
前記可動部１１に形成されたテーパ部１３Ａ，１３Ｂと、シリンダ１０内壁に突設したリング部１４Ａ，１４Ｂとの間隙を変えることによって、低温水・高温水の供給量の調整を行うようにしたので、単一の温度調整ハンドルの右回転または左回転のいずれかの回転によって、低温水・高温水の供給量を同時に調整することができる。
【図面の簡単な説明】
【図１】本発明の一実施の形態における自動温度調整ミキシング装置の概略を示す一部切断断面図である。
【図２】圧力調整機構部の動作を説明するための断面図である。（Ａ）は通常の作動状態、（Ｂ）は高温水圧力が異常に高い場合の動作状態、（Ｃ）は低温水圧力が異常に高い場合の動作状態を示す。
【図３】シャワー栓および吐水口を閉栓状態から開栓状態にしてその後閉栓したときの混合温水温度（混合温水圧力）、給水温度（給水圧力）、給湯温度（給湯圧力）のそれぞれの変化を示した図である。
【図４】従来例における自動温度調整ミキシング装置の概略を示す一部切断断面図である。
【図５】従来例における自動温度調整ミキシング装置を各シャワー室に設けた状態を示す斜視図である。
【図６】従来の自動温度調整ミキシング装置におけるシャワー栓および吐水口を閉栓状態から開栓状態にしてその後閉栓したときの混合温水温度（混合温水圧力）、給水温度（給水圧力）、給湯温度（給湯圧力）のそれぞれの変化を示した図である。
【符号の説明】
１…流量調整機構部
２…圧力調整機構部
３…温度調整機構部
５…混合温水用出口部
６…自動温度保持手段
７…伸縮部
１０…シリンダ
１１…可動部
１２Ａ…低温水導入孔部
１２Ｂ…高温水導入孔部
１３Ａ…低温水テーパ部
１３Ｂ…高温水テーパ部
１４Ａ…低温水リング部
１４Ｂ…高温水リング部
１５…雄ネジ部
１６…雌ネジ部
２０…シリンダ
２１…可動部
２２Ａ，２２Ｂ，２２Ｃ，２２Ｄ…孔部
３０…シリンダ
３１…Ｖ字形弁機構部
３２…雄ネジ部
３３…雌ネジ部
３４Ａ，３４Ｂ…孔部
３５…パッキン部材
３６Ａ，３６Ｂ…メッシュ
３７…可動部
３８…Ｖ字部
１００…自動温度調整ミキシング装置
Ｌ１…低温水供給管
Ｌ２…高温水供給管
Ｌ３，Ｌ５…低温水用通路
Ｌ４，Ｌ６…高温水用通路
ｔ１，ｔ２…通路
ｔ３…貫通孔
【図１】
2004108530.tif 000003
【図２】
2004108530.tif 000004
【図３】
2004108530.tif 000005
【図４】
2004108530.tif 000006
【図５】
2004108530.tif 000007
【図６】
2004108530.tif 000008